(57)【要約】【課題】入力した単語の綴りが誤りであっても、該単語の綴りに近似した単語に対応する例文、成句、熟語が得られる電子辞書の提供。【解決手段】単語の文字を入力するための入力手段と、前記入力手段により入力された単語の内容を記憶する単語記憶手段と、前記入力された単語の文字列の綴りに対応する情報を記憶する情報記憶手段と、前記文字列の綴りに誤りがあり該文字列に対応する前記情報が存在しない場合に、前記綴りに近似した綴りの文字列に対応する前記情報を前記情報記憶手段から検出するスペルチェック機能と、前記単語や前記情報の表示を行う表示手段とを備える。【選択図】    図１
2005070873.tif 000002
【特許請求の範囲】
【請求項１】
単語の文字を入力するための入力手段と、
前記入力手段により入力された単語の内容を記憶する単語記憶手段と、
前記入力された単語の文字列の綴りに対応する情報を記憶する情報記憶手段と、
前記文字列の綴りに誤りがあり該文字列に対応する前記情報が存在しない場合に、前記綴りに近似した綴りの文字列に対応する前記情報を前記情報記憶手段から検出するスペルチェック機能と、
前記単語や前記情報の表示を行う表示手段と、
を有することを特徴とする電子辞書。
【請求項２】
前記情報が例文であることを特徴とする請求項１に記載の電子辞書。
【請求項３】
前記情報が成句であることを特徴とする請求項１に記載の電子辞書。
【請求項４】
前記情報が熟語であることを特徴とする請求項１に記載の電子辞書。
【請求項５】
前記スペルチェック機能は、前記入力された単語の文字列が複数であり該複数の文字列の綴りに誤りがある場合に、該複数の文字列それぞれに近似した綴りの文字列に対応する前記情報を前記情報記憶手段から検出することを特徴とする請求項１に記載の電子辞書。
【発明の詳細な説明】
【０００１】
【発明の属する技術分野】
本発明は、英和や和英等の辞書データを有し例文や成句の検索を行う電子辞書に関し、特に検索にスペルチェック機能を付加した電子辞書に関するものである。
【０００２】
【従来の技術】
従来、英和や和英等の辞書データを有する電子辞書においては、ある単語を入力し訳等を検索し、該単語に対応する情報の１つである例文をさらに検索する場合には、辞書データに該当する例文があれば、その単語を使った候補となる例文のリストを表示していた。また、単語に対応する情報の他の１つである成句に関しても同様である（例えば特許文献１参照）。
【０００３】
また、従来の英和や和英等の辞書データを有し例文や成句の検索を行う電子辞書には、使用者が入力した単語の文字列の綴りが正しいかどうかを判定し、綴りに誤りがある場合には、当該綴りに近似した綴りの見出し語の候補を表示させるスペルチェック機能を有するものもある（例えば特許文献２参照）。
【０００４】
【特許文献１】
特開２００１−１３４５６７号公報（図８）
【０００５】
【特許文献２】
特開２００１−１３４５６４号公報（図７）
【０００６】
【発明が解決しようとする課題】
しかしながら、従来の電子辞書では、例文を検索する場合に変化形には対応していたが、全く辞書データとして記憶されている単語に該当しない単語を入力した場合には、「該当する例文がありません」と表示され、それ以上希望とする例文を探す手段が無いという問題があった。
【０００７】
本発明は、上記の問題を解決するためになされたものであり、該当しない単語の入力で候補が表示されないという問題を解決できる電子辞書を提供するものである。
【０００８】
【課題を解決する手段】
上記課題を解決するために本発明は、単語の文字を入力するための入力手段と、前記入力手段により入力された単語の内容を記憶する単語記憶手段と、前記入力された単語の文字列の綴りに対応する情報を記憶する情報記憶手段と、前記文字列の綴りに誤りがあり該文字列に対応する前記情報が存在しない場合に、前記綴りに近似した綴りの文字列に対応する前記情報を前記情報記憶手段から検出するスペルチェック機能と、前記単語や前記情報の表示を行う表示手段とを有する電子辞書とした。
【０００９】
また本発明は、前記情報が例文や成句や熟語である電子辞書とした。
【００１０】
さらに本発明は、前記入力された単語の文字列が複数であり該複数の文字列の綴りに誤りがある場合に、該複数の文字列それぞれに近似した綴りの文字列に対応する前記情報を前記情報記憶手段から検出するスペルチェック機能を有する電子辞書とした。
【００１１】
これによって、使用者が入力時にスペルミスを行ったとしても、希望とする単語を含む、例文や成句や熟語が表示できる。
【００１２】
【発明の実施の形態】
以下、本願発明の実施例を図１乃至図３に基づいて詳細に説明する。図１は、本発明の電子辞書の構成を示すブロック図である。図２及び図３は、本発明の電子辞書の表示装置に表示される画面の例を示す図である。
【００１３】
図１において、入力手段１１は中央処理装置であるＣＰＵ１２に接続され、入力手段１１からの信号は、ＣＰＵ１２に接続する単語記憶手段としてのＲＡＭ１３に一時記憶される。ＣＰＵ１２には更に、情報記憶手段としてのＲＯＭ１４が接続され、このＲＯＭ１４には辞書の内容が記憶されている。ここで、辞書の内容とは例えば、見出し、訳、例文、成句、熟語、解説などである。
【００１４】
またＣＰＵ１２には表示手段としての表示装置１５が接続され、入力手段１１から入力された文字、すなわち一時ＲＡＭ１３に蓄積された内容が表示装置１５の画面上に表示される。
【００１５】
なお図１のブロック図ではＣＰＵ１２、ＲＡＭ１３、ＲＯＭ１４は個別のブロックとして表示しているが、最近この種の装置ではワンチップＣＰＵを用いることが一般的であるため、これらは明確に分離して構成する必要はない。
【００１６】
次に本願発明の動作について各ステップごとに説明する。ここでは例文を検索する場合を例にとって説明する。
【００１７】
まず、入力手段１１の操作によりＣＰＵ１２が例文検索を選択する。すると表示装置１５に例文検索モードであることが表示される。更に入力手段１１によって、たとえば、「Ｔ」「Ａ」「Ｋ」「Ａ」と入力すると、図２に示す状態になる。この図２は、入力手段１１によって、「ｔａｋａ」という単語が入力されたことを表示装置１５の画面の上部に表示していることを示している。このとき、画面の下部には、その「ｔａｋａ」という単語が含まれる例文が無いので、「該当する例文がありません」と表示される。これが、例文検索と呼ばれる動作である。
【００１８】
この検索は、ある単語を入力すると辞書内の全例文と比較し、該当する単語を含む例文を表示する機能である。今回の入力単語「ｔａｋａ」では該当する例文が無いので、使用者が「スペル」キーを押してスペルチェックするか、もしくは自動的に「ｔａｋａ」をスペルチェックして候補に該当する単語を含む例文が無いか検索を行う。「ｔａｋａ」の場合、「ｔａｋｅ」や「ｔａｋｙ」や「ｔｏｋａｙ」などがスペルチェックで選ばれるので、「ｔａｋａ」の入力で「ｔａｋｅ」を含む例文がリスト表示される。図３は、この「ｔａｋｅ」を含む例文のリストが表示装置１５に表示された状態を示している。
【００１９】
この動作を図１のブロック図で説明すると、入力手段１１において、文字列を入力する。入力された単語は、一旦、ＲＯＭ１４に記憶されている検索インデックスと比較され、該当する候補を表示する。このとき、入力された単語がインデックスにあるかどうか比較して、インデックスにあればそのまま通常通り例文検索を行い、無かった場合にはスペルチェックを行い、その候補が含まれる例文を抽出する。
【００２０】
以上、この発明の動作を例文検索モードについて述べたが、上記の例に限らず、英和・英英や他の言語でも利用することができる。また、例文に限らず、成句や熟語などにも利用できる。更に複数の単語を入力した場合にも同様に利用できる。
【００２１】
【発明の効果】
以上述べたように、本発明の電子辞書は、綴りを間違えて単語を入力したときには、候補となる情報は通常得られないが、スペルチェック機能を追加することによって、希望する例文や成句、熟語などの情報を検索することができる。
【図面の簡単な説明】
【図１】本発明に係る電子辞書における実施例の回路ブロック図である。
【図２】本発明に係る電子辞書の表示装置に表示される画面の一例を示す図である。
【図３】本発明に係る電子辞書の表示装置に表示される画面の一例を示す図である。
【符号の説明】
１１    入力手段
１２    ＣＰＵ
１３    ＲＡＭ
１４    ＲＯＭ
１５    表示装置
【図１】
2005070873.tif 000003
【図２】
2005070873.tif 000004
【図３】
2005070873.tif 000005